(57)【要約】【課題】データフレームの受信状態の試験に関する情報の記憶容量削減と試験時間短縮を図るとともに、フレーム間の送信間隔やフレーム長などの情報の分布頻度を知得する。【解決手段】試験用のデータフレームを被試験デバイスに対して送信し、送信したデータフレームを被試験デバイスを介して受信したデータフレームのフレーム状態情報を抽出し、この抽出したフレーム状態情報のうち選択項目情報に基づくフレーム状態情報を分布情報として選択する。そして、選択した分布情報を分布振分情報に基づき振り分け処理をし、振分用分布テーブルの分解能範囲に該当するエリアのカウント値を加算処理するとともに、記憶された振分用分布テーブルの各分解能範囲におけるカウント値を分布頻度情報として読み出して分布テーブルや分布頻度グラフの表示を行う。【選択図】図１
2011023809.tif 000002
【特許請求の範囲】
【請求項１】
被試験デバイスに対して試験用のデータフレームを送信し、該被試験デバイスを介して受信した前記データフレームにおけるフレーム間の送信間隔のバイト数に関する情報と前記データフレームにおけるフレーム長のバイト数に関する情報とを少なくとも含む受信状態情報の分布頻度を所定の表示形態で表示するネットワーク試験装置（１）であって、
前記被試験デバイスを介して前記データフレームを受信した際に、前記データフレームの受信状態情報をフレーム状態情報として抽出するフレーム状態情報抽出部（１２）と、
前記抽出した複数のフレーム状態情報のうち、試験対象となる前記フレーム状態情報を分布情報として選択する分布情報選択部（１３）と、
前記分布情報を予め設定された分解能範囲毎に振り分けるとともに、前記分解能範囲毎に振り分けられた分布情報の分布頻度を加算処理する分布情報処理部（１４）と、
予め作成されたテーブル形式で前記加算処理された分布情報の分布頻度を記憶する記憶部（１６）と、
該記憶部に記憶された分布情報の分布頻度を所定の表示形態で表示制御する処理制御部（１７）と、
を備えたことを特徴とするネットワーク試験装置。
【請求項２】
前記記憶部（１６）は、２つの記憶手段で構成され、
一方の記憶手段が前記分布情報処理部（１４）と接続したときに、前記処理制御部（１７）が他方の記憶手段と接続するよう各部との間の入出力経路を所定時間毎に切り替え制御するセレクタ部（１５）を備えたことを特徴とする請求項１記載のネットワーク試験装置。
【発明の詳細な説明】
【技術分野】
【０００１】
本発明は、イーサネット（登録商標）などのＩＰネットワークに使用するネットワーク機器に対して試験用データフレームを送信し、送信したデータフレームを被試験デバイスを介して受信した際に、被試験デバイスでフラグメント化したデータフレームの受信状態を試験するネットワーク試験装置に関するものである。
【背景技術】
【０００２】
近年の通信技術や通信設備の飛躍的発達、パソコン等の高性能化や大容量データサービスの拡大と急速な普及により、インターネットプロトコル（Internet Protocol ：ＩＰ）を用いたネットワーク（以下、「ＩＰネットワーク」という）を利用したサービスが急増している。
【０００３】
例えば、ＩＰネットワークの通信規格としてイーサネット（登録商標）を適用した場合、通信エラーや伝送時間の遅延などの問題が生じるため、転送できる最大長をＭＴＵ（Maximum Transmission Unit 、イーサネット（登録商標）では１５００バイト程度）として規定している。従って、データ量がＭＴＵを超える場合は、まず一定のサイズ毎にデータフレームを細かく分割するフラグメント処理して、宛先や送信元に関する情報（フレームヘッダ）が付加されたフレームデータとして送信する。そして、フラグメント化されたフレームデータは、ＩＰネットワーク内では分割された状態で宛先端末まで転送され、宛先端末で再構築されている。
【０００４】
また、このようなＩＰネットワークサービスの急増に伴い、ＩＰネットワークに関する保守作業の方法や被試験デバイスであるネットワーク機器（ルータ、スイッチングハブ、伝送装置など）を試験するネットワーク試験装置（例えば下記特許文献１を参照）について様々な工夫がなされている。
【先行技術文献】
【特許文献】
【０００５】
【特許文献１】特開２００４−３２０７８５号公報
【発明の概要】
【発明が解決しようとする課題】
【０００６】
ところで、ＩＰネットワークで使用される被試験デバイスの評価試験として、ネットワーク試験装置から送信した試験用のデータフレームを被試験デバイスを介して再度受信した際に、被試験デバイスでフラグメント化したデータフレームの受信状態を示す受信状態情報の分布頻度を求めることがある。
【０００７】
しかしながら、このような試験を行う場合、対象となる観測期間中の全ての受信状態情報を一旦メモリに保存し、この保存した情報をデータ解析しなければならず、対象となる観測期間が長くなると、全てのフレーム状態情報を保存するための膨大なメモリ容量が必要になるとともに、これらのデータ解析に多くの時間を要しリアルタイムに試験結果を把握することができなかった。
【０００８】
また、被試験デバイスに対してネットワーク試験装置からデータフレームを等間隔で送信し、この送信したデータフレームを被試験デバイスを介して再度受信すると、データフレームのフレーム間隔にゆらぎが生じることがある。しかしながら、従来の試験装置ではユーザ側が被試験デバイスの試験内容としてクロックが非同期の場合に、被試験デバイスがクロック誤差を吸収してフレーム間の送信間隔（Inter Packet Gap：ＩＰＧ）を変動させてからネットワーク試験装置に送り返しているかを確認し、クロック速度差に影響があるか否かを観測することができなかった。
【０００９】
さらに、ＩＰネットワークのＭＴＵを超えるようなデータを送信した場合、被試験デバイスによって複数のデータフレームに分割して送信しているが、従来の試験装置ではバイト数、フレーム数のカウンタのみであり、ＭＴＵを超えた固定長データを送信した際に、各フレームがどれくらいのデータ量にフラグメント化されたかを確認することができなかった。従って、受信したデータが同じレート１００％でも、ショートフレームを短いＩＰＧで送受信して１００％なのか、ロングフレームを長いＩＰＧで送受信して１００％なのかを確認することができなかった。
【００１０】
そこで、本発明は上記問題点に鑑みてなされたものであり、被試験デバイスを介して受信したデータフレームの受信状態の試験に関する情報の記憶容量削減と試験時間の短縮が図れるとともに、フレーム間の送信間隔やフレーム長などの情報の分布頻度を知得することのできるネットワーク試験装置を提供することを目的とするものである。
【課題を解決するための手段】
【００１１】
上記した目的を達成するために、請求項１記載のネットワーク試験装置は、被試験デバイスに対して試験用のデータフレームを送信し、該被試験デバイスを介して受信した前記データフレームにおけるフレーム間の送信間隔のバイト数に関する情報と前記データフレームにおけるフレーム長のバイト数に関する情報とを少なくとも含む受信状態情報の分布頻度を所定の表示形態で表示するネットワーク試験装置１であって、
前記被試験デバイスを介して前記データフレームを受信した際に、前記データフレームの受信状態情報をフレーム状態情報として抽出するフレーム状態情報抽出部１２と、
前記抽出した複数のフレーム状態情報のうち、試験対象となる前記フレーム状態情報を分布情報として選択する分布情報選択部１３と、
前記分布情報を予め設定された分解能範囲毎に振り分けるとともに、前記分解能範囲毎に振り分けられた分布情報の分布頻度を加算処理する分布情報処理部１４と、
予め作成されたテーブル形式で前記加算処理された分布情報の分布頻度を記憶する記憶部１６と、
該記憶部に記憶された分布情報の分布頻度を所定の表示形態で表示制御する処理制御部１７と、
を備えたことを特徴とする。
【００１２】
請求項２記載のネットワーク試験装置は、請求項１記載のネットワーク試験装置において、前記記憶部１６は、２つの記憶手段で構成され、
一方の記憶手段が前記分布情報処理部１４と接続したときに、前記処理制御部１７が他方の記憶手段と接続するよう各部との間の入出力経路を所定時間毎に切り替え制御するセレクタ部１５を備えたことを特徴とする。
【発明の効果】
【００１３】
本発明のネットワーク試験装置によれば、被試験デバイスを介して受信したデータフレームの受信状態情報であるフレーム状態情報の中から任意の分布情報を予め設定された分解能範囲毎に振り分け、第１記憶手段及び第２記憶手段に分布頻度情報であるカウント値を加算処理して記憶させるため、従来のような膨大な情報を記憶する記憶容量が必要なく、抽出した分布情報の解析処理の時間を短縮することができる。また、被試験デバイスにおけるクロック速度差に影響があるか否かの観測や、各フレームがどれくらいのデータ量にフラグメント化されたかを容易に確認することができる。
【００１４】
さらに、記憶部を２つの記憶手段で構成し、一方の記憶手段が加算処理手段と接続している際に他方の記憶手段が処理制御部と接続するように、各部の間の入出力経路を所定時間毎に交互に切り替えて使用しているため、分布情報における分布頻度のカウント値加算処理と分布頻度情報の読み出しによる分布テーブルや分布頻度グラフの表示制御処理をリアルタイムで同時処理することができる。
【図面の簡単な説明】
【００１５】
【図１】本発明に係るネットワーク試験装置のシステム構成を示す概略ブロック図である。
【図２】（ａ）〜（ｄ）  同試験装置の試験対象となるデータフレームの分布情報を示す概念図である。
【図３】同試験装置のセレクタ部における入力出経路の切り替え制御例を示す説明図である。
【図４】同試験装置における振分用分布テーブルに基づく分布情報の振り分け例を示す説明図である。
【図５】同試験装置における分布情報の分布頻度グラフ表示例を示す説明図である。
【発明を実施するための形態】
【００１６】
以下、本発明を実施するための形態について、添付した図面を参照しながら詳細に説明する。なお、以下に詳述する実施の形態は、本発明の一例を示すものであって本発明を限定するものではなく、この形態に基づいて当業者等によりなされる実施可能な他の形態、実施例及び運用技術等はすべて本発明の範疇に含まれる。
【００１７】
本例のネットワーク試験装置は、イーサネット（登録商標）などのＩＰネットワークに使用するネットワーク機器（ルータ、スイッチングハブ、伝送装置など）を被試験デバイスとし、この被試験デバイスに対して試験用のデータフレーム（データフレームのフレーム長が固定長及び／又はフレーム間の送信間隔（Inter Packet Gap：ＩＰＧ）が固定値）を送信し、送信したデータフレームを被試験デバイスを介して受信した際に、被試験デバイスでフラグメント化したデータフレームの受信状態を試験する装置である。
【００１８】
そして、本例のネットワーク試験装置は、受信したデータフレームおけるフレーム間の送信間隔のバイト数に関する情報とデータフレームにおけるフレーム長のバイト数に関する情報とを少なくとも含む受信状態情報をフレーム状態情報として抽出し、このフレーム状態情報の中から試験対象となるフレーム状態情報を分布情報として分解能範囲毎に振り分けてカウント値を加算する処理と、この振り分けた分布情報の分布頻度に基づく分布テーブルの表示や分布頻度のグラフ表示などの表示制御処理をリアルタイムに同時処理するものである。
【００１９】
［装置のシステム構成］
まず、本発明に係るネットワーク試験装置の構成について、図１〜５を参照しながら説明する。
【００２０】
図１に示すように、ネットワーク試験装置１は、操作入力部１１、フレーム状態情報抽出部１２、分布情報選択部１３、分布情報処理部１４、セレクタ部１５、記憶部１６、処理制御部１７、表示部１８を備えている。また、ネットワーク試験装置１は、イーサネット（登録商標）などのＩＰネットワークを通じて被試験デバイスとの間でデータフレーム送受信するための入出力部１９を備えている。
【００２１】
操作入力部１１は、例えばテンキーや各種設定キーを備えたキーボードやマウスなどの入力機器やＬＣＤやＣＲＴ画面にタッチパッドのような位置入力装置を組み合わせたタッチ画面を操作する表示入力装置などで構成される。操作入力部１１は、ユーザの所定操作により、被試験デバイスを介して受信したデータフレームの受信状態情報であるフレーム状態情報（到着時間情報、Latency 情報、ＩＰＧ情報、Frame Length情報）のうち試験対象となるフレーム状態情報を分布情報として選択するための項目選択情報、選択された分布情報をユーザが所望する振分設定値（オフセット値、分解能（時間単位としてμｓやｍｓ、データ長としてbyte数）、分解能毎に振り分けるための分解能範囲) に基づき振り分け処理する際に用いる分布振分情報の他、ネットワーク試験装置１を使用する際に必要な各種情報が入力され、この入力情報を処理制御部１７に出力している。
【００２２】
ここで、本例のネットワーク試験装置１の試験対象となるデータフレームのフレーム状態情報について説明する。図２（ａ）〜（ｄ）に示すように、被試験デバイスを介して受信したデータフレームのフレーム状態情報として、到達時間情報、Latency 情報、ＩＰＧ情報、Frame Length情報がある。
（到達時間情報）
図２（ａ）に示すように、到達時間情報は、ネットワーク試験装置１から被試験デバイスに対して送信したデータフレームを被試験デバイスを介して受信した際の、フレーム間におけるフレームエンドから次のフレームエンドまでの時間を測定した情報である。
（Latency 情報）
図２（ｂ）に示すように、Latency 情報は、ネットワーク試験装置１から被試験デバイスに対して送信したデータフレームを被試験デバイスを介して受信した際、送信Time Stamp付きのデータフレームに対し受信時に受信Time Stampを付加して送信時刻と受信時刻の差分を求めて得られる送信から受信までにかかった時間（Latency ）の情報である。
（ＩＰＧ情報）
図２（ｃ）に示すように、ネットワーク試験装置１から被試験デバイスに対して送信したデータフレームを被試験デバイスを介して受信した際の、各フレーム間のＩＰＧバイト数の情報である。
（Frame Length情報）
図２（ｄ）に示すように、ネットワーク試験装置１から被試験デバイスに対して送信したデータフレームを被試験デバイスを介して受信した際の、各データフレームのフレーム長のバイト数の情報である。
【００２３】
フレーム状態情報抽出部１２は、被試験デバイスを介して受信したデータフレームの受信状態情報を上述したフレーム状態情報（到着時間情報、Latency 情報、ＩＰＧ情報、Frame Length情報）としてそれぞれ抽出し、抽出した各フレーム状態情報を分布情報選択部１３に出力している。
【００２４】
分布情報選択部１３は、処理制御部１７からの項目選択情報に基づき、フレーム状態情報抽出部１２で抽出された各フレーム状態情報の中から試験対象となるフレーム状態情報のみを選択し、この選択されたフレーム状態情報を分布情報として情報振分手段１４ａに出力している。すなわち、分布情報選択部１３は、フレーム状態情報抽出部１２で抽出されたフレーム状態情報の中からユーザが所望する分布テーブルに必要な情報のみを選別するフィルタの役目を担っている。
【００２５】
分布情報処理部１４は、情報振分手段１４ａ、加算処理手段１４ｂを備えており、分布振分情報に基づく分布情報の振り分け処理と、記憶部１６に対しこの振り分けた分布情報における分布頻度のカウント値を加算処理している。
【００２６】
情報振分手段１４ａは、処理制御部１７からの分布振分情報に基づき、分布情報選択部１３で選択された分布情報が、後述する第１記憶手段１６ａ及び第２記憶手段１６ｂに記憶された振分用分布テーブルにおける分解能範囲のうち、どの範囲に含まれるかを識別して振り分け処理をする。そして、情報振分手段１４ａは、分布情報の振り分け処理が完了すると、この分布情報が含まれる振分用分布テーブルの分解能範囲に該当するエリアのカウント値を加算処理するためのエリア加算信号を加算処理手段１４ｂに出力している。すなわち、情報振分手段１４ａは、試験対象となる分布情報の分布テーブルの作成に際し、ユーザが設定した分布振分情報の分解能範囲に該当する分布情報を分解能範囲毎に振り分け処理している。
【００２７】
加算処理手段１４ｂは、情報振分手段１４ａからのエリア加算信号を入力すると、第１記憶手段１６ａ及び第２記憶手段１６ｂに記憶された振分用分布テーブルのエリアのカウント値を、入力した信号に従って加算処理（加算処理内容としては、第１記憶手段１６ａ又は第２記憶手段１６ｂの何れかに記憶されるカウント値を一旦読み出し、その値に対してインクリメントした後に読み出した記憶手段へ書き戻す処理）を行っている。なお、振分用分布テーブルにおけるエリアのカウント値加算処理は、セレクタ部１５による入出力経路の切り替え制御に従い、切り替え時に接続される第１記憶手段１６ａ又は第２記憶手段１６ｂの何れかに対して処理を行っている。
【００２８】
セレクタ部１５は、書込用セレクタ手段１５ａと、出力用セレクタ手段１５ｂとを備え、図３に示すように加算処理手段１４ｂと処理制御部１７とが同一の記憶手段（第１記憶手段１６ａ又は第２記憶手段１６ｂ）に同時アクセスするのを回避するため、処理制御部１７からのセレクタ制御信号に基づき、所定時間毎（例えば１秒間隔）で入力出経路を交互に切替制御している。すなわち、セレクタ部１５は、加算処理手段１４ｂによる各記憶手段１６ａ、１６ｂの振分用分布テーブルにおける各エリアのカウント値加算処理と、処理制御部１７による振分用分布データにおける各エリアのカウント値情報である分布頻度情報の読み出し処理とを、何れか一方の記憶手段で処理するように入出力経路を切り替え制御し、記憶部１６に対するカウント値加算処理と、分布頻度情報の読み出し表示部１８に分布テーブルや分布頻度グラフの表示を行う表示制御処理との両方をリアルタイムで実現している。
【００２９】
記憶部１６は、例えば磁気的、光学的記憶媒体若しくはＲＯＭ、ＲＡＭなどの半導体メモリで構成され、第１記憶手段１６ａ、第２記憶手段１６ｂを備えている。記憶部１６は、操作入力部１１で設定入力された項目選択情報や分布振分情報の他、ネットワーク試験装置１を構成する各部の制御情報を記憶している。また、第１記憶手段１６ａ、第２記憶手段１６ｂは、分布振分情報に基づき作成された振分用分布テーブルをそれぞれ記憶している。この振分用分布テーブルは、前述した分布振分情報に基づく分布情報振分用のテーブルであり分解能範囲毎にエリアが設定され、加算処理手段１４ｂよって分布情報に該当するエリアのカウント値が加算処理される。
【００３０】
さらに、図３に示すように、記憶部１６に対するカウント値加算処理と、分布頻度情報の読み出し処理を同時に行うため、第１記憶手段１６ａ、第２記憶手段１６ｂの入出力経路がセレクタ部１５によって所定時間毎に交互に切り替わる構成である。従って、一方の記憶手段に対して加算処理手段１４ｂによる振分用分布テーブルにおけるエリアのカウント値加算処理が行われている間に、他方の記憶手段から処理制御部１７による振分用分布テーブルのカウント値を分布頻度情報として読み出す処理が行われている。
【００３１】
例えば、図示のように書込用セレクタ手段１５ａによって第１記憶手段１６ａと加算処理手段１４ｂとが接続しているときは、加算処理手段１４ｂが第１記憶手段１６ａに対し、振分用分布テーブルにおける該当するエリアのカウント値加算処理をしている。一方、出力用セレクタ手段１５ｂによって第２記憶手段１６ｂと処理制御部１７とが接続しているときは、処理制御部１７が第２記憶手段１６ｂに記憶された分布頻度情報の読み出し処理をしている。そして、所定時間経過後、セレクタ部１５によって入出力経路が切り替わると、第１記憶手段１６ａ、第２記憶手段１６ｂに対する処理内容が切り替わる構成である。
【００３２】
従って、第１記憶手段１６ａ、第２記憶手段１６ｂに記憶される分布頻度情報は、書込用セレクタ手段１５ａの切り替わりにより第１記憶手段１６ａと第２記憶手段１６ｂのそれぞれに加算処理されるため、第１記憶手段１６ａと第２記憶手段１６ｂに記憶された分布頻度情報を組み合わせることで、試験対象となる分布情報の分布テーブルが完成することを意味している。
【００３３】
処理制御部１７は、例えばＣＰＵ、ＲＯＭ、ＲＡＭ等を含むマイクロコンピュータで構成され、ネットワーク試験装置１を構成する各部の駆動制御を行っている。また、処理制御部１７は、操作入力部１１で分布振分情報が設定入力されると、この分布振分情報を情報振分手段１４ａに出力している。さらに、処理制御部１７は、操作入力部１１で分布振分情報が設定入力されると、この分布振分情報に基づく振分用分布テーブルを作成し、第１記憶手段１６ａ、第２記憶手段１６ｂに記憶させる。また、処理制御部１７は、操作入力部１１で項目選択情報が設定入力されると、この項目選択情報を分布情報選択部１３に出力している。さらに、処理制御部１７は、情報振分手段１４ａと処理制御部１７とが第１記憶手段１６ａ又は第２記憶手段１６ｂの何れかに対する同時アクセスを回避するよう制御するためのセレクタ制御信号をセレクタ部１５に出力している。
【００３４】
また、処理制御部１７は、第１記憶手段１６ａ及び第２記憶手段１６ｂにそれぞれ記憶される振分用分布データの各エリアのカウント値を分布頻度情報として読み取り、この読み取った分布頻度情報を、ユーザが所望する分布テーブルや分布頻度グラフ（ヒストグラム表示、折れ線グラフ表示など）で表示制御するための表示制御信号を表示部１８に出力している。
【００３５】
表示部１８は、例えばＬＣＤやＣＲＴなどの表示機器で構成され、処理制御部１７からの表示制御信号に基づき、第１記憶手段１６ａ及び第２記憶手段１６ｂに記憶された分布情報の分布頻度情報に基づく分布テーブルや各種分布頻度グラフの表示を行う他、ネットワーク試験装置１を駆動するのに必要な操作時や設定時に係る各種表示内容の表示を行っている。
【００３６】
表示部１８に表示される分布頻度情報に関する分布テーブルや分布頻度グラフの表示例としては、図４に示すように分布頻度情報として図中に示すようなデータフレーム間のＩＰＧ分布に関する情報とし、分解能：１byteでオフセット値：０byteの分布テーブル、分解能：１byteでオフセット値：１byte分布テーブル、分解能：２byteでオフセット値：１byte分布テーブルなどの表示、図５に示すような分布頻度情報に基づく分布頻度グラフ表示（図中は分解能：１byteでオフセット値：０byteの分布テーブルに基づくヒストグラム）などの表示がある。
【００３７】
［装置の処理動作］
次に、上述したネットワーク試験装置１における処理動作について説明する。ここでは、図４に示すデータフレームのＩＰＧの分布を、分解能：１byteでオフセット値：０byteの分布テーブルで振り分け処理を行う場合の処理動作について説明する。
【００３８】
まず、ユーザは、所望の分布テーブルを知得するため、操作入力部１１を所定操作して項目選択情報と分布振分情報を設定する。次に、ネットワーク試験装置１から被試験デバイスに対して試験用のデータフレーム（データフレームのフレーム長が固定長及び／又はＩＰＧが固定値）を送信し、送信したデータフレームを被試験デバイスを介して受信する。
【００３９】
次に、フレーム状態情報抽出部１２は、受信したデータフレームのフレーム状態情報（到着時間情報、Latency 情報、ＩＰＧ情報、Frame Length情報）を抽出する。次に、分布情報選択部１３は、項目選択情報に基づき、抽出されたフレーム状態情報の中からユーザが選択したＩＰＧに関するフレーム状態情報を分布情報として選択する。そして、情報振分手段１４ａが、選択した分布情報を分布頻度情報に基づき振り分け処理し、この分布情報が含まれる振分用分布テーブルの分解能範囲に該当するエリアのカウント値を加算処理するためのエリア加算信号を出力する。
【００４０】
加算処理手段１４ｂは、書込用セレクタ手段１５ａによって入出力経路が接続された側の記憶手段（例えば第１記憶手段１６ａ）の振分用分布テーブルのエリアのカウント値を情報振分手段１４ａからのエリア加算信号に従って加算処理するとともに、処理制御部１７が、出力側セレクタ手段によって入出力経路が接続された側の記憶手段（例えば第２記憶手段１６ｂ）に記憶された振分用分布テーブルの各分解能範囲におけるカウント値を分布頻度情報として読み出す処理を行っている。そして、読み出した分布頻度情報を、図４に示すような分布テーブルの表示や、図５に示すような分布頻度グラフの表示を行っている。
【００４１】
以上説明したように、上述したネットワーク試験装置１では、試験用のデータフレームを被試験デバイスに対して送信し、送信したデータフレームを被試験デバイスを介して受信したデータフレームのフレーム状態情報を抽出し、この抽出したフレーム状態情報のうち選択項目情報に基づくフレーム状態情報を分布情報として選択する。そして、選択した分布情報を分布振分情報に基づき振り分け処理をし、振分用分布テーブルの分解能範囲に該当するエリアのカウント値を加算処理するとともに、記憶された振分用分布テーブルの各分解能範囲におけるカウント値を分布頻度情報として読み出して分布テーブルや分布頻度グラフの表示を行っている。
【００４２】
これにより、被試験デバイスを介して受信したデータフレームにおけるユーザが選択した分布情報のみを振り分け処理し、その分布情報の分布頻度を分布頻度情報として記憶部１６にカウント値加算処理しているため、従来のような膨大な情報を記憶する記憶容量が必要なく、抽出した分布情報の解析処理時間を短縮することができる。
【００４３】
また、被試験デバイスを介して受信したデータフレームからフレーム状態情報としてＩＰＧ情報を抽出することで、被試験デバイスにおけるクロック速度差に影響があるか否かの観測することができる。さらに、被試験デバイスを介して受信したデータフレームからフレーム状態情報としてFrame Length情報を抽出することで、フラグメント化されたデータフレーム毎のバイト数の割合を知得することができるため、同じレート１００％でも、ショートフレームを短いＩＰＧで送受信して１００％なのか、ロングフレームを長いＩＰＧで送受信して１００％なのかを確認することができる。
【００４４】
さらに、記憶部１６を第１記憶手段１６ａ、第２記憶手段１６ｂの２つで構成し、一方の記憶手段と加算処理手段１４ｂとが接続している際に、他方の記憶手段と処理制御部１７とが接続するよう各部の間の入出力経路を所定時間毎に交互に切り替えて使用しているため、分布情報における分布頻度のカウント値加算処理と、分布頻度情報の読み出しによる分布テーブルや分布頻度グラフの表示制御処理をリアルタイムで同時処理することができる。
【００４５】
ところで、上述した形態において、分布振分情報に基づき振り分け処理した分布情報の分布頻度について、ユーザの希望により分布振分情報で設定した分解能や時間の範囲条件を変更し、振分用分布テーブルにおける特定の範囲の分布情報をさらに詳細に振り分け処理して表示する構成（詳細サーチ機能）とすることもできる。このような構成とすることで、最初に設定した分解能範囲における特定の範囲における詳細な分布頻度を知得することができ、さらに高精度な被試験デバイス試験を実施することができる。
【００４６】
また、上記構成例では、記憶部１６に記憶された振分用分布テーブルの分解能範囲に該当するエリアのカウント値を加算処理することで分布頻度情報を記憶する構成で説明したが、例えばカウンタを用いて分布頻度情報をカウントするなど、ユーザが設定した分解能範囲毎に分布情報の分布頻度をカウントし、そのカウントした分布頻度情報が読み出せる構成であれば特に限定されない。
【符号の説明】
【００４７】
１…ネットワーク試験装置
１１…操作入力部
１２…フレーム状態情報抽出部
１３…分布情報選択部
１４…分布情報処理部（１４ａ…情報振分手段、１４ｂ…加算処理手段）
１５…セレクタ部（１５ａ…書込用セレクタ手段、１５ｂ…出力用セレクタ手段）
１６…記憶部（１６ａ…第１記憶手段、１６ｂ…第２記憶手段）
１７…処理制御部
１８…表示部
１９…入出力部
【図１】
2011023809.tif 000003
【図２】
2011023809.tif 000004
【図３】
2011023809.tif 000005
【図４】
2011023809.tif 000006
【図５】
2011023809.tif 000007